(57)【特許請求の範囲】
【請求項１】
ユーザによって与えられる原稿画像を用紙の片面にプリントしかつ予め用意された広告画像を当該用紙の他の片面にプリントする複属性両面プリントモードを備える画像形成装置であって、
前記原稿画像に対して、複数の画質設定項目のそれぞれについて設定値を前記ユーザが指定するための画質調整部を有した操作入力手段と、
前記原稿画像および前記広告画像のプリント画質を設定するプリント制御手段と、
前記複数の画質設定項目のそれぞれの設定値および当該各設定値についての変更を許容する範囲を示す指定情報を、前記広告画像の画質設定に係る情報として前記プリント制御手段に与える指定情報出力手段とを有し、
複属性両面プリントモードにおいて、前記プリント制御手段は、前記画質調整部の操作に応じて前記原稿画像のプリント画質を設定し、かつ前記複数の画質設定項目のうち、前記操作によって指定された設定値が前記指定情報における前記範囲内である画質設定項目については、前記操作によって指定された設定値を前記広告画像に対するプリント画質の設定値とし、前記操作によって指定された設定値が前記範囲内ではない画質設定項目については、前記指定情報の示す前記設定値または前記範囲内で前記操作によって指定された設定値に最も近い値を前記広告画像に対するプリント画質の設定値とする
ことを特徴とする画像形成装置。
【請求項２】
前記原稿画像を読み取るイメージスキャナと、
前記広告画像を記憶する画像メモリとを備える
請求項１に記載の画像形成装置。
【請求項３】
前記指定情報出力手段として前記指定情報を記憶する不揮発性のメモリを備える
請求項１または２に記載の画像形成装置。
【発明の詳細な説明】
【技術分野】
【０００１】
本発明は、両面プリントが可能な画像形成装置に関する。画像形成装置には、複写機、プリンタ、および複合機と呼ばれる多機能周辺機器（ＭＦＰ：Multifunction Peripherals）が含まれる。
【背景技術】
【０００２】
不特定の顧客が有償で利用することのできる複写機が、コンビニエンスストアをはじめとする種々の店舗に設置されている。一般に、この種の複写機は、コピー枚数、プリントの濃さ、用紙サイズといった幾つかの項目について顧客が指定や選択をすることができるように構成されている。また、モノクロ複写機としての使用も可能なカラー複写機を設置する店舗も増えつつある。このような複写機の多くは、両面ユニットの装着によって両面プリントが可能になる多機能型である。
【０００３】
近年、有償のコピーサービス（以下、有料コピーという）の新たな形態として、予め片面に広告を印刷した用紙を複写機に収納しておき、広告主がコピー料金の全部または一部を負担するビジネスが注目されている。顧客が持ち込んだ原稿は広告印刷済み用紙の他の片面に複写される。顧客は無料または割引料金でコピーサービスを受けることができる。その代わり、受け取る用紙には必ず広告がプリントされている。広告主は客層に応じた効果的な宣伝を行うことができる。このビジネスは、原稿画像とは別に広告をプリントする付加機能をもたない汎用の複写機で実施することができる。
【０００４】
原稿を複写するときに広告画像をプリントする機能をもつ複写機は知られている。例えば、特許文献１に記載の画像形成装置は、広告画像を記憶するメモリを備えた複写機と料金を受け取る課金装置とから構成され、原稿を複写する用紙の裏面または別の用紙に広告画像をプリントする。そして、広告のプリントに要する時間に応じてコピー料金を変更する。他にも、片面プリントにおいて広告の配置が選択可能であるもの、顧客が広告商品の種類を選択できるようにしたものなど種々の提案がある。
【特許文献１】特開２０００−３４７５３３号公報
【発明の開示】
【発明が解決しようとする課題】
【０００５】
一般に、有料コピーにおいては、コピーサービスを利用する顧客はコピー枚数や用紙サイズの指定および選択とともに、プリントの濃さ、コントラスト、倍率といった幾つかの画質設定項目について所望の指定をしてプリント画質を調整することができる。特にカラープリントが可能な有料コピーでは、カラーモード（モノクロ／カラー）やカラーバランスも顧客の操作を受け付ける画質設定項目に含まれる。そして、このような画質の設定はそれが解除されるまで、全てのプリントに対して有効となる。つまり、マルチコピーであれば複数の用紙へのプリントに対して、両面プリントであれば表裏両面にプリントに対して、一律に画質設定の内容が適用される。
【０００６】
顧客がプリント画質を調整することのできる無償のコピーサービス（以下、無料コピーという）も考えられる。このサービスは顧客にとって有用ではあるが、サービス提供者からみた不都合が生じるおそれがある。すなわち、顧客が極端に標準値と異なる画質調整をした場合、広告主が望むように広告画像がプリントされないことがある。例えば、拡大倍率が指定されて広告の一部しかプリントされなかったり、カラーバランスが変更されて商品の色が実際とかけ離れた色でプリントされたりすることが起こり得る。
【０００７】
本発明は、このような事情に鑑み、プリント費用を広告主が負担するプリントサービスに使用した場合に、サービス利用者が所望の画質のプリント画像を得ることができるとともに、広告主の望む画質の広告画像をプリントアウトすることのできる画像形成装置の提供を目的としている。
【課題を解決するための手段】
【０００８】
上記目的を達成する画像形成装置は、ユーザによって与えられる原稿画像を用紙の片面にプリントしかつ予め用意された広告画像を当該用紙の他の片面にプリントする複属性両面プリントモードを備える画像形成装置であって、前記原稿画像に対して、複数の画質設定項目のそれぞれについて設定値を前記ユーザが指定するための画質調整部を有した操作入力手段と、前記原稿画像および前記広告画像のプリント画質を設定するプリント制御手段と、前記複数の画質設定項目のそれぞれの設定値および当該各設定値についての変更を許容する範囲を示す指定情報を、前記広告画像の画質設定に係る情報として前記プリント制御手段に与える指定情報出力手段とを有する。複属性両面プリントモードにおいて、前記プリント制御手段は、前記画質調整部の操作に応じて前記原稿画像のプリント画質を設定し、かつ前記複数の画質設定項目のうち、前記操作によって指定された設定値が前記指定情報における前記範囲内である画質設定項目については、前記操作によって指定された設定値を前記広告画像に対するプリント画質の設定値とし、前記操作によって指定された設定値が前記範囲内ではない画質設定項目については、前記指定情報の示す前記設定値または前記範囲内で前記操作によって指定された設定値に最も近い値を前記広告画像に対するプリント画質の設定値とする。
【発明の効果】
【０００９】
本発明によれば、プリント費用を広告主が負担するプリントサービスに使用した場合に、サービス利用者が望む画質の原稿画像をプリントし、かつ広告主の望む画質の広告画像をプリントする画像形成装置を実現することができる。
【発明を実施するための最良の形態】
【００１０】
異なる画像データ出力手段からの２種の画像を１枚の用紙の表裏にプリントするモードである"複属性両面プリントモード"が必要とされる状況の代表例は、上述したように広告主が料金を負担する無料コピーである。以下、サービスの提供を受ける顧客が無料コピーを指定した場合に複属性両面プリントを行うコピーサービスを想定し、それに使用される画像形成装置を例示する。なお、必ずしも無料である必要はなく、割引であってもよい。料金設定はサービス提供者が決めるべき事項である。
【００１１】
図１に示される画像形成装置１０は、例えばコンビニエンスストアに設置され、不特定の顧客によってセルフサービス形式で使用される。以下、画像形成装置１０の一時的な使用者である不特定の顧客を便宜的にユーザという。ユーザは、用紙の裏面に広告がプリントされるのを了承するのであれば、原稿を無料でコピーすることができる。広告のプリントを了承しないのであれば、原稿を有料でコピーすることができる。無料コピーのプリントモードは、第１属性の画像としての原稿画像を用紙の片面にプリントしかつ他の片面に第２属性の画像としての広告画像をプリントするモードである。有料コピーのプリントモードは、原稿画像のみをプリントして広告画像をプリントしないモードである。
【００１２】
画像形成装置１０はカラープリントの可能な複合機（ＭＦＰ）１１と課金装置１２とを備えている。図示の課金装置１２は縦長の箱形状を有したコインベンダーであって、複合機１１の傍らに配置され、背面から引き出されたケーブル状の中継コネクタ１７を介して複合機１１に接続されている。
【００１３】
例えば、有料コピーにおいてユーザが硬貨を投入すると、課金装置１２は投入された金額を液晶ディスプレイからなる表示部１５によって逐次に表示し、投入金額が所定額に達すると複合機１１に対してプリントの詳細を指定するパネル操作の受付を指示する。ユーザは操作パネル１８を操作して置数（コピー枚数）、用紙のサイズ、カラーモード（モノクロ／カラー）などの項目について指定する。指定されたコピー内容に対応するコピー料金が投入金額以下であれば、課金装置１２は複合機１１に対してコピー動作を許可する。ユーザが操作パネル１８上のスタートキーを押すとコピー動作が始まる。複合機１１は、用紙がフェースダウントレイ５３（またはフェースアップトレイ５４）に排出される時に、排出情報を課金装置１２に送信する。排出情報を受けて課金装置１２は所定のコピー料金を徴収し、残高を新たに表示する。徴収するコピー料金はコピー内容によって異なる。残高が所定の金額以下になると、課金装置１２はコピー動作を禁止する。そして、硬貨が追加投入されると、課金装置１２はコピー動作を再度許可する。コピー動作が停止しているときに、ユーザが課金装置１２のコイン返却ボタン１４を押すと、課金装置１２の内部から前面のコイン返却口１６に残高分の硬貨が送り出される。
【００１４】
なお、コインベンダーからなる課金装置１２を図示したが、金額情報を記憶したプリペイドカードなどの情報記憶媒体を用いる課金装置とすることもできる。この場合の課金装置は、挿入されたプリペイドカードに記憶されている残高情報に基づいて、コピー料金を徴収する。
【００１５】
図２のように複合機１１は、第１の画像データ出力手段としての縮小投影式フラット型のイメージスキャナ２１、タンデム式のカラープリンタ２３、多段式の用紙ストッカ２５、２通りの排紙を可能にする排出部２６、および両面ユニット２７を備える。用紙ストッカ２５は、３個の給紙口および手差し給紙口を備え、サイズの異なる複数種の用紙の択一選択が可能に構成されている。
【００１６】
コピー動作において、原稿画像はイメージスキャナ２１によって読み取られ、カラープリンタ２３でイエロー（Ｙ）、マゼンタ（Ｍ）、シアン（Ｃ）、ブラック（Ｋ）の４色のトナー像となる。所定のタイミングで形成される４色のトナー像は中間転写ベルト４０に順に１次転写され、中間転写ベルト４０上で重なる。重なった４色のトナー像は用紙ストッカ２５からカラープリンタ２３へ給紙された用紙に２次転写される。その後、トナー像は定着部を経て用紙に定着する。トナー像が定着した用紙は、排出部２６を経て排紙される。両面プリントの場合には、１面目の転写の後、用紙は両面ユニット２７に送られる。両面ユニット２７で表裏反転された用紙が２次転写位置（印字位置）に戻り、２面目の転写の後に排紙される。このような複合機１１の基本構成は広く知られているので、ここでは各要素の構造および機能の詳しい説明を省略する。
【００１７】
複合機１１は、上述したとおり無料コピーサービスに係る複属性両面プリントモードを有する。複属性両面プリントモードでは、ユーザによって与えられる原稿画像を用紙の片面にプリントし、予め広告主によって与えられる広告画像を残りの片面にプリントする。原稿画像はイメージスキャナ２１によってデータ化され、広告画像は予めデータ化されて複合機１１がもつ不揮発性のメモリに格納されている。排紙の形態はフェースダウンとされ、用紙はカラープリントされた広告面がユーザに見えるように上向きにフェースダウントレイ５３に排出される。１枚の用紙に対する原稿と広告のプリント順序が決まっている。本例では広告画像のプリントを先に行い、原稿画像のプリントを後に行う。
【００１８】
両面プリントにおける１枚の用紙の搬送手順は図３のとおりである。用紙は、用紙ストッカからプリンタ本体へ給紙されると、印字位置（２次転写位置）へ導かれ、１面目のプリントを受ける。片面のプリントが終わった用紙は両面プリントを可能にする循環搬送経路９０の一部であるスイッチバック路９１へ導入され、導入と反対の方向に搬送されて両面ユニット２７に入る。両面ユニット２７内で表裏が反転した用紙が再び印字位置へ導かれ、２面目のプリントを受ける。そして、両面のプリントが終わった用紙がスイッチバック路９１を素通りして排紙される。
【００１９】
無料コピーに係る複属性両面プリント動作における用紙搬送とプリントの手順は図４に模式的に示される。
【００２０】
図４のように複属性両面プリントモードでは、用紙Ｐへの１面目のプリントとして第２属性の広告画像Ｇ２のプリントが行われる。用紙Ｐの表裏が反転され、２面目のプリントとして第１属性の原稿画像Ｇ１のプリントが行われる。そして、原稿画像Ｇ１が下向きで広告画像Ｇ２が上向きとなるフェースダウン形式で用紙Ｐが排出される。
【００２１】
広告画像Ｇ２が上向きで排出されるので、排出された用紙Ｐを取ろうとするユーザに広告画像Ｇ２が認識され易い。すなわち、広告画像Ｇ２がユーザの興味を引く確率が大きい。仮に広告画像Ｇ２が下向きであると、ユーザが広告画像Ｇ２を見ないかも知れない。フェースダウン形式の排出は宣伝効果に貢献する。
【００２２】
図５は画像形成装置１０の制御系の構成を示すブロック図である。
【００２３】
複合機１１および課金装置１２は、中継コネクタ１７および入出力インタフェース６０ａ，６０ｂを介して相互に通信する。複合機１１の通信制御は複合機１１に設けられた制御部６１が司り、課金装置１２の通信制御は課金装置１２に設けられた制御部７１が司る。
【００２４】
複合機１１におけるプリント制御手段である制御部６１には、イメージスキャナ２１、カラープリンタ２３、排出部２６、および両面ユニット２７に備わる動作機構やセンサがインタフェースを介して接続されている。また、イメージスキャナ２１からの読取り信号を処理する信号処理部２２および上述の操作パネル１８も制御部６１に接続されている。さらに、制御部６１には、原稿画像に係る画質調整値（後述のユーザ画質調整テーブルＴ１）を一時的に記憶するユーザ画質調整メモリ５０Ａ、広告画像に係る画質設定値（後述の画質設定テーブルＴ３）を一時的に記憶する広告用画質調整メモリ５０Ｂ、広告画像に関する情報を記憶する広告データ用メモリ５１、複数の広告画像を予め記憶する不揮発性メモリを含んだ第２の画像データ出力手段としての広告画像用メモリ部６３、広告をプリントした枚数や広告主に対する課金を累積して記憶する課金用メモリ６４、画像データの一時記憶や画像合成時に使用される作業用のメモリ６５、現在時刻を測定するタイマ６６、広告をプリントした枚数などを積算するカウンタ６７、広告画像および／または原稿画像をプリントする生産性を判別する判別部６８が接続されている。
【００２５】
広告データ用メモリ５１は、広告主名や広告の種類などの広告属性情報を記憶する領域５２、および複数の広告画像のそれぞれに対応する画質設定の指定情報を記憶する領域５３を有する。広告データ用メモリ５１は制御部６１に第２属性の画像の画質設定に係る指定情報（後述の広告主画質調整テーブルＴ２）を与える指定情報出力手段である。
【００２６】
操作パネル１８には、有料／無料コピーを指定するための広告機能選択キー８２、原稿画像のプリントのカラーモードを指定するためのキー８３、コピーの濃度やコントラストに係る下地レベルを指定するためのキーからなる画質調整部８４、他の各種のキー８５、および各種の操作画面を表示する表示部８８を備える。他のキーには、コピー部数を設定する置数キー、各種の付加価値コピーモード（両面コピー、拡大／縮小コピーなど)を選択また設定するためのキー、およびコピー動作の開始を指示するためのスタートキーが含まれる。表示部８８はディスプレイとタッチパネルとからなり、コピー枚数や用紙サイズなどの設定状態、有料／無料コピーの設定状態、その他の情報を表示する。その他の情報には操作の案内やコピー動作状況をユーザに伝えるメッセージが含まれる。なお、操作パネル１８のキーの一部は表示部８８のタッチパネルの画面内に適時に表示されるボタンである。
【００２７】
一方、課金装置１２の制御部７１には、上述した表示部１５、コピー内容と料金の対応を示すテーブルデータを記憶する課金テーブルメモリ７２、コピー枚数やユーザに対する課金額を累積して記憶する課金用メモリ７３などが接続されている。
【００２８】
本実施形態の画像形成装置１０の動作の概要は図６のアクティビティ図で示される。
【００２９】
図６において、最初にユーザが複合機１１の操作パネル１８により無料コピーか有料コピーかを選択する（＃０１）。このとき、図７（Ａ）のように、複合機１１の表示部８８は選択ボタン８２Ａ，８２Ｂおよびユーザに選択を求めるメッセージ１０１を表示する。メッセージ１０１は、無料コピーでは広告がプリントされることを伝える文を含む。
【００３０】
無料コピーの場合は、１面目に広告画像をプリントし、２面目にユーザの原稿画像をプリントする。広告画像および原稿画像はカラー画像でもモノクロ画像でもよく、カラー画像であればカラープリントされ、モノクロ画像であればモノクロプリントされる。
【００３１】
無料コピーの場合は料金の投入の必要はない。ユーザはパネル操作によって後述の画質設定項目について所望の指定をすることができる（＃０２）。ユーザがスタートキーを押下すると、複合機１１はコピー動作を開始する（＃０３）。カラープリンタ２３による1面目の広告画像のプリントと並行して、イメージスキャナ２１は原稿の読取りを行う（＃０８）。イメージスキャナ２１から作像用のバッファメモリへ所定解像度の原稿画像データが出力される。
【００３２】
並行処理が行われている間、図７（Ｂ）のように表示部８８は「広告プリント中です。」というメッセージ１０９を表示する（＃０４）。この表示は、無料コピーに不慣れなユーザに動作状況を知らせて安心してもらうために行われる。モノクロで片面の有料コピーと比べて無料コピーの所要時間は長いが、状況を表示することによって、長い待ち時間にユーザが戸惑うことが少なくなる。
【００３３】
メッセージ１０９の表示に続いて、複合機１１は後述する自動画質調整を行う（＃０５）。自動画質調整は、ユーザがパネル操作によって指定した画質設定の内容を、広告データ用メモリ５１の領域５３に記憶されている指定情報が許容する範囲内で広告画像のプリント画質の設定に反映させるための動作である。自動画質調整の後に、広告画像用メモリ６３から選択的に取り込んだ広告画像を用紙の第１面にプリントし、用紙の表裏を反転させる（＃０６、＃０７）。複数の広告画像のいずれを選択するかについては、単純に登録順に選択する方法や広告の種類を考慮して選択する方法がある。
【００３４】
広告画像のプリントと原稿の読取りの並行処理が終わると、複合機１１は原稿画像のプリント動作を始める。図７（Ｃ）のように表示部８８は「原稿プリント中です。」というメッセージ１０７を表示する（＃０９）。複合機１１は、両面ユニット２７から表裏反転された用紙を印字位置へ搬送し（＃１０）、原稿画像をプリントし（＃１１）、両面にプリントされた用紙をフェースダウントレイ５３に排出する（＃１２）。
【００３５】
有料コピーの場合には、表示部８８はユーザに料金の投入を求めるメッセージを表示する。ユーザが料金を納入すると（＃１３）、複合機１１は、画質調整を含むコピー内容の指定操作を受け付ける（＃１４）。ユーザがスタートキーを押すと（＃１５）、複合機１１は原稿のスキャン（＃１６）、原稿画像のプリント（＃１７）および課金（＃１８）を順に行い、原稿画像のプリントされた用紙をフェースダウントレイ５３に排出する（＃１２）。
【００３６】
図８は無料コピーにおける自動画質調整の処理の流れを示すアクティビティ図、図９は画質調整に係るテーブルの内容の一例を示す図である。
【００３７】
図８のように自動画質調整処理は、ユーザ画質調整テーブルＴ１および選択された広告画像に対応する１つの広告主画質調整テーブルＴ２を読み込み（＃５１、＃５２）、広告プリントの画質調整テーブルＴ３を作成する（＃５３〜＃５６）。これらのテーブルＴ１，Ｔ２，Ｔ３に係る画質設定の項目は複数である。図９の例では、「カラーモード」「倍率」「濃度」「コントラスト」「とじしろ」および「カラーバランス」の６項目についてユーザおよび広告主がそれぞれ指定をしている。
【００３８】
ユーザ画質調整テーブルＴ１は、パネル操作に呼応して作成されるテーブルであり、ユーザがパネル操作によって指定した画質調整の内容を記録したものである。ユーザ画質調整テーブルＴ１の内容は、原稿画像のプリントにおいて画質設定値としてそのまま適用される。
【００３９】
広告主画質調整テーブルＴ２は、１つの広告画像の画質設定の指定情報であり、広告画像とともにデータ通信または記録媒体からの読込みによって複合機１１に入力される。図９のとおり、広告主画質調整テーブルＴ２は、上記６項目について、広告プリントに対してユーザの画質調整を反映させるか否かの指定（反映可否）、反映させる場合の画質調整の許容範囲、および広告主が望む画質の設定値（広告主推奨値）を示す。
【００４０】
広告プリントの画質調整テーブルＴ３は、広告画像のプリントにおける画質設定値を示すテーブルである。すなわち、画質調整テーブルＴ３に基づいて広告画像のプリント制御が行われる。画質調整テーブルＴ３の作成においては、広告主画質調整テーブルＴ２が示す「反映可」の項目については、ユーザ画質調整テーブルＴ１の示す画質調整値が設定値とされる。すなわち、ユーザによる画質の指定が広告のプリントに反映される。一方、「反映不可」の項目については、広告主画質調整テーブルＴ２の示す推奨値が設定値とされる。なお、「反映可」であっても、ユーザ画質調整テーブルＴ１の示す画質調整値が広告主画質調整テーブルＴ２の示す許容範囲から逸脱している場合も、広告主画質調整テーブルＴ２の示す推奨値が設定値とされる。ただし、これに限らず、ユーザによる画質調整が広告主の許容する範囲から逸脱している場合に、許容範囲の限界値を広告プリント画質の設定値としてもよい。
【００４１】
図９の例示で選択されている広告主画質調整テーブルＴ２（カップ麺広告データ）においては、画質設定の６個の項目のうち、「濃度」「コントラスト」および「とじしろ」が反映可であり、残りの「カラーモード」「倍率」および「カラーバランス」」が反映不可である。これを受けて、画質調整テーブルＴ３において、反映可の３個の項目についてはユーザ画質調整テーブルＴ１の内容が広告プリント画質設定値とされ、反映不可の３個の項目については広告主画質調整テーブルＴ２の内容が広告プリント画質設定値とされている。このような画質調整テーブルＴ３が用紙Ｐの第１面Ｓ１への広告画像のプリントに適用される。用紙Ｐの第２面Ｓ２への原稿画像のプリントにはユーザ画質調整テーブルＴ１が適用される。
【００４２】
以上の実施形態において、画像形成装置１０の構成は、イメージリーダ２１によって原稿画像を入力する構成に限らない。画像のプリントを要求するパーソナルコンピュータやメモリ装置も原稿入力手段となり得る。例えば、画像形成装置１０にコンピュータを接続しておき、顧客が原稿として画像データをリムーバブルメモリに記憶させて持参するプリントサービスが考えられる。
【００４３】
広告画像データ出力手段として、メモリ部６３に代えてまたはそれとともに、外部の画像サーバから広告画像データを取得する通信手段を備えてもよい。画像形成装置１０を、図示しないネットワークを介して、複数の店舗に設置された画像形成装置を一箇所で統括的に管理する管理施設内の端末に接続してもよい。そして、この管理施設において、各画像形成装置の稼動状況を把握したり、複合機に記憶されている広告画像を遠隔操作により定期的に入れ替えたりすることができる。
【００４４】
カラープリンタ２３はタンデム式に限らず、ロータリー式やその他の形式であってもよい。電子写真プロセス以外のインクジェットなどの方法でカラープリントおよびモノクロプリントを行うものでもよい。画像形成装置１０の構成は本発明に沿う範囲内で適宜変更が可能である。本発明の応用として、片面のプリントに際して紙面を区画した複数の領域ごとに画質を設定することができる装置において、ある領域にはユーザによる画質調整をそのまま適用し、他の領域には広告主が許容する範囲内でユーザによる画質調整を反映させるようにしてもよい。
【図面の簡単な説明】
【００４５】
【図１】画像形成装置の構成を示す図である。
【図２】複合機の構成を示す図である。
【図３】両面プリントにおける用紙搬送経路の一例を示す図である。
【図４】複属性両面プリントにおける用紙搬送とプリントの手順を示す図である。
【図５】画像形成装置の制御系の構成を示す図である。
【図６】画像形成装置の動作の概要を示すアクティビティ図である。
【図７】無料コピーにおける操作パネルによる表示の一例を示す図である。
【図８】図７の自動画質調整の処理の流れを示すアクティビティ図である。
【図９】画質調整に係るテーブルの内容の一例を示す図である。
【符号の説明】
【００４６】
１０    画像形成装置
２１    イメージスキャナ（第１の画像データ出力手段）
１８    操作パネル（操作入力手段）
６３    広告画像用メモリ部（第２の画像データ出力手段）
Ｇ１    原稿画像（第１属性の画像）
Ｇ２    広告画像（第２属性の画像）
６１    制御部（プリント制御手段）
８４    画質調整部
Ｔ２    広告主画質調整テーブル（指定情報）
５１    広告データ用メモリ（指定情報出力手段）
Ｐ    用紙
【図１】
0005098519.tif 000002
【図２】
0005098519.tif 000003
【図３】
0005098519.tif 000004
【図４】
0005098519.tif 000005
【図５】
0005098519.tif 000006
【図６】
0005098519.tif 000007
【図７】
0005098519.tif 000008
【図８】
0005098519.tif 000009
【図９】
0005098519.tif 000010